(57)【要約】【課題】シールゴム内側の撮像用光路を確保しつつシールゴムが受光面に当接する箇所の面積を確保でき、小型化を図る上で有利な撮像ユニットおよび撮像装置を提供する。【解決手段】撮像ユニット５４は、パッケージ５６と、ホルダ５８と、シールゴム６０と、光学フィルタ６２と、押さえ部材６４とを含んで構成されている。シールゴム６０は、内部に撮像用光路Ｌ１が確保された筒状を呈し、断面が矩形枠状の本体部６００２と、パッケージ５６の受光面５６Ａに載置される本体部６００２の端部に本体部６００２の内周に沿って内方向に膨出形成された鍔部６００４とを有している。鍔部６００４は矩形枠状に延在している。シールゴム６０の軸方向から見て、本体部６００２の外周６００２Ａは受光面５６Ａの外縁の外側に位置し、本体部６００２の内周６００２Ｂは受光面５６Ａの外縁の内側に位置している。【選択図】図１５
2008205911.tif 000002
【特許請求の範囲】
【請求項１】
撮像素子が封入され前記撮像素子の撮像面が臨む箇所が受光面とされたパッケージと、
前記パッケージを保持するホルダと、
前記パッケージの受光面にその軸方向の一端が載置される筒状のシールゴムと、
前記シールゴムの軸方向の他端に載置される光学フィルタと、
前記光学フィルタを前記シールゴムに押圧することで前記シールゴムの前記一端を前記受光面に押圧する押さえ部材とを備える撮像ユニットであって、
前記シールゴムは、筒状の本体部と、前記受光面に載置される前記本体部の端部に前記本体部の内周に沿って内方向に膨出形成された鍔部とを有している、
ことを特徴とする撮像ユニット。
【請求項２】
前記軸方向から見て、前記本体部の外周は前記受光面の外縁の外側に位置し、前記本体部の内周は前記受光面の外縁の内側に位置している、
ことを特徴とする請求項１記載の撮像ユニット。
【請求項３】
前記パッケージは、前記撮像素子が収容された凹部を有するパッケージ本体と、前記凹部を閉塞するように前記パッケージ本体に取着されたカバーガラスを含んで構成され、
前記受光面は、前記撮像素子と反対に位置する前記カバーガラスの面で形成されている、
ことを特徴とする請求項１記載の撮像ユニット。
【請求項４】
前記シールゴムには、前記押さえ部材により押圧された際に、その軸方向の中間部を外側に変形し易くする形状部が設けられている、
ことを特徴とする請求項１記載の撮像ユニット。
【請求項５】
前記形状部は、前記シールゴムの軸方向の中間部で内周部に設けられた凹部で構成されている、
ことを特徴とする請求項４記載の撮像ユニット。
【請求項６】
前記シールゴムの内周面は、前記シールゴムの軸方向の両端の内周面よりも軸方向の中間部の内周面が窪む傾斜面で形成され、
前記形状部は、前記傾斜面で構成されている、
ことを特徴とする請求項４記載の撮像ユニット。
【請求項７】
前記ホルダは、前記シールゴムが収容される筒部を有し、
前記シールゴムの外周面と前記筒部の内周面との間に隙間が確保されている、
ことを特徴とする請求項１記載の撮像ユニット。
【請求項８】
前記ホルダは、前記シールゴムが収容される筒部を有し、
前記筒部の内周面は、前記シールゴムの前記他端寄りに位置する軸方向の端部の外周面に臨む小径部と、前記小径部を除いた前記内周面の箇所に前記小径部よりも大きい内径で形成され前記シールゴムの外周面との間に隙間が確保された大径部とで構成されている、
ことを特徴とする請求項１記載の撮像ユニット。
【請求項９】
前記シールゴムは、断面が矩形枠状を呈している、
ことを特徴とする請求項１記載の撮像ユニット。
【請求項１０】
前記受光面と反対に位置する前記パッケージの背面は、前記撮像素子と電気的に接続された状態で基板に取着されている、
ことを特徴とする請求項１記載の撮像ユニット。
【請求項１１】
前記ホルダは、基板部と、基板部から膨出された筒部を有し、
前記シールゴム及び前記パッケージは、前記筒部の内側に位置するように配置され、
前記ホルダと前記パッケージとが取着され、
前記受光面と反対に位置する前記パッケージの背面は、前記撮像素子と電気的に接続された状態で基板に取着されている、
ことを特徴とする請求項１記載の撮像ユニット。
【請求項１２】
撮像ユニットを有する撮像装置であって、
前記撮像ユニットは、
撮像素子が封入され前記撮像素子の撮像面が臨む箇所が受光面とされたパッケージと、
前記パッケージを保持するホルダと、
前記パッケージの受光面にその軸方向の一端が載置される筒状のシールゴムと、
前記シールゴムの軸方向の他端に載置される光学フィルタと、
前記光学フィルタを前記シールゴムに押圧することで前記シールゴムの前記一端を前記受光面に押圧する押さえ部材とを備える撮像ユニットであって、
前記シールゴムは、筒状の本体部と、前記受光面に載置される前記本体部の端部に前記本体部の内周に沿って内方向に膨出形成された鍔部とを有している、
ことを特徴とする撮像装置。
【発明の詳細な説明】
【技術分野】
【０００１】
本発明は撮像ユニットおよび撮像装置
に関する。
【背景技術】
【０００２】
従来から、撮像素子が組み込まれた撮像ユニットが提供されている。
この撮像ユニットは、撮像素子が封入され撮像素子の撮像面が臨む箇所が受光面とされたパッケージと、パッケージを保持するホルダと、パッケージの受光面にその軸方向の一端が載置される筒状のシールゴムと、シールゴムの軸方向の他端に載置される光学フィルタと、光学フィルタをシールゴムに押圧することでシールゴムの一端を受光面に押圧する押さえ部材とを備えている（特許文献１参照）。
【特許文献１】特開２００５−１２４０９９号公報
【発明の開示】
【発明が解決しようとする課題】
【０００３】
ところで、近年、パッケージの小型化、薄型化が図られており、その際、撮像素子の撮像面の面積は同じかあるいは増大していることから、シールゴムの軸方向から見て、撮像素子の撮像面の輪郭と受光面の外縁との間に形成される矩形枠状のスペースの幅がより一層狭くなってきている。
したがって、撮像素子の撮像面の輪郭とシールゴムの内周との距離が近接せざるを得なくなってきている。
ところが、撮像素子の撮像面の輪郭とシールゴムの内周との距離が近接しすぎると、シールゴム内側の撮像面への撮像用光路が確保できず、ケラレが生じたり、迷光がシールゴムの内周を介して撮像素子の撮像面に入りゴーストが生じるといった不都合が生じる。
本発明はこのような事情に鑑みなされたものであり、その目的は、シールゴム内側の撮像用光路を確保しつつシールゴムが受光面に当接する箇所の面積を確保でき、小型化を図る上で有利な撮像ユニットおよび撮像装置を提供することにある。
【課題を解決するための手段】
【０００４】
上述の目的を達成するため、本発明は、撮像素子が封入され前記撮像素子の撮像面が臨む箇所が受光面とされたパッケージと、前記パッケージを保持するホルダと、前記パッケージの受光面にその軸方向の一端が載置される筒状のシールゴムと、前記シールゴムの軸方向の他端に載置される光学フィルタと、前記光学フィルタを前記シールゴムに押圧することで前記シールゴムの前記一端を前記受光面に押圧する押さえ部材とを備える撮像ユニットであって、前記シールゴムは、筒状の本体部と、前記受光面に載置される前記本体部の端部に前記本体部の内周に沿って内方向に膨出形成された鍔部とを有していることを特徴とする。
また本発明は、撮像ユニットを有する撮像装置であって、前記撮像ユニットは、撮像素子が封入され前記撮像素子の撮像面が臨む箇所が受光面とされたパッケージと、前記パッケージを保持するホルダと、パッケージの受光面にその軸方向の一端が載置される筒状のシールゴムと、前記シールゴムの軸方向の他端に載置される光学フィルタと、前記光学フィルタを前記シールゴムに押圧することで前記シールゴムの前記一端を前記受光面に押圧する押さえ部材とを備える撮像ユニットであって、前記シールゴムは、筒状の本体部と、前記受光面に載置される前記本体部の端部に前記本体部の内周に沿って内方向に膨出形成された鍔部とを有していることを特徴とする。
【発明の効果】
【０００５】
そのため、本発明によれば、撮像素子の撮像面の輪郭と受光面の外縁との間に形成される矩形枠状のスペースの幅が狭い場合であっても、シールゴムに鍔部を設けたことで、撮像用光路を確保しつつシールゴムが受光面に当接する箇所の面積を確保することができ、撮像素子の撮像面の輪郭とシールゴムの内周面との距離を離間させることができる。
【発明を実施するための最良の形態】
【０００６】
次に本発明の実施の形態について図面を参照して説明する。
本実施の形態では、本発明の撮像ユニットが撮像装置に組み込まれている場合について説明する。
図１は本実施の形態の撮像装置１００を前方から見た斜視図、図２は本実施の形態の撮像装置１００を後方から見た斜視図、図３は本実施の形態の撮像装置１００を下方から見た斜視図、図４はメモリカード１３２およびバッテリー１３８の収容状態を説明する説明図、図５は撮像装置１００の制御系を示すブロック図である。
図１、図２に示すように、撮像装置１００はデジタルスチルカメラである。
撮像装置１００は、外装を構成する矩形板状のケース１０２を有し、ケース１０２は、前ケース１０２Ａと後ケース１０２Ｂとが合わせられて構成されている。
前ケース１０２Ａによりケース１０２の前面が構成され、後ケース１０２Ｂによりケース１０２の後面が構成されている。
なお、本明細書において、前方とは被写体側をいい、後方とはその反対側をいい、左右は撮像装置１００を前方から見た状態でいうものとする。
ケース１０２の右側部には、図中二点鎖線で示すように、レンズ鏡筒１０が組み込まれており、レンズ鏡筒１０には、対物レンズ１４と、本発明に係る撮像ユニット５４（図６参照）と、対物レンズ１４で捉えた被写体像を撮像ユニット５４に導く光学系１０４などが設けられている。撮像ユニット５４は後述する撮像素子１２８（図５参照）を含んで構成されている。
対物レンズ１４は前ケース１０２Ａに設けられたレンズ窓１０３を介してケース１０２前方に臨んで配置されている。
【０００７】
ケース１０２の前面右寄りの箇所には、撮影補助光を出射するフラッシュ１０８、セルフタイマーランプ１１０などが設けられている。
ケース１０２の前面にはカバー１１２が上下にスライド可能に設けられ、このカバー１１２は、図１に示すようにレンズ窓１０３、フラッシュ１０８、セルフタイマーランプ１１０を前方に露出させる下限位置と、これらレンズ窓１０３、フラッシュ１０８、セルフタイマーランプ１１０を覆う上限位置とにスライドされる。
ケース１０２の上面の左寄り箇所には、シャッタボタン１１４、電源ボタン１１６などが設けられている。
ケース１０２の後面には静止画および動画などの画像や文字や記号などが表示されるディスプレイ１１８（液晶表示器）、撮影光学系１０４のズーミング動作を行なわせるためのズームスイッチ１２０、各種操作を行なうための十字スイッチ１２２および複数の操作ボタン１２４が設けられている。
ケース１０２の左側面には、撮像装置１００を静止画撮影モード、動画撮影モード、再生・編集モードなどに切り替えるためのモードスイッチ１２６が設けられている。
図３、図４に示すように、ケース１０２の下面には、静止画あるいは動画などの画像などを記録するためのメモリカード１３２を装脱可能に収容するメモリ収容室１０２Ａと、撮像装置１００の電源を構成するバッテリー１３８を装脱可能に収容するバッテリー収容室１０２Ｂとがケース１０２の前後方向（厚さ方向）に並べて設けられている。これらメモリ収容室１０２Ａ、バッテリー収容室１０２Ｂはケース１０２の下面にヒンジを介して連結された開閉蓋１０２Ｃによって開閉される。
【０００８】
図５に示すように、撮像素子１２８は、光学系１０４によって結像された被写体像を撮像するＣＣＤやＣＭＯＳセンサなどで構成されている。
撮像素子１２８で撮像された像は撮像信号として画像処理部１３０に出力され、画像処理部１３０ではこの撮像信号に基づいて静止画あるいは動画の画像データが生成され、メモリカード（記憶媒体）１３２に記録される。また、前記画像データは表示処理部１３４によりディスプレイ１１８に表示される。
さらに、撮像装置１００は、シャッタボタン１１４、十字スイッチ１２２、操作ボタン１２４、モードスイッチ１２６の操作に応じて、画像処理部１３０、表示処理部１３４を制御するＣＰＵなどを含む制御部１３６を備えている。
【０００９】
図６はレンズ鏡筒１０を斜め前方から見た斜視図、図７はレンズ鏡筒１０を斜め後方から見た斜視図、図８はレンズ鏡筒１０の一部の構成を示す分解斜視図、図９はレンズ鏡筒１０の残りの構成を示す分解斜視図、図１０は図６のＸＸ線断面図、図１１は図６のＹＹ線断面図である。
【００１０】
図６乃至図９に示すように、レンズ鏡筒１０は、鏡筒１２と、対物レンズ１４と、撮像ユニット５４と、光学系１０４とを含んで構成されている。
本実施の形態では、光学系１０４は、プリズム１６と、ズーム用可動レンズ群１８と、フォーカス用可動レンズ群２０と、第１の固定レンズ群２２と、第２の固定レンズ群２４と、第３の固定レンズ群２６と、ズーム用可動レンズ群１８用の案内機構２８と、フォーカス用可動レンズ群２０用の案内機構３０とを備えている。
さらに、ズーム用可動レンズ群１８を移動させる駆動手段３２と、フォーカス用可動レンズ群２０を移動させる駆動手段３４とが設けられている。
【００１１】
図６、図７に示すように、鏡筒１２は、全体として幅および長さ並びに厚さを有する平板形状を呈しており、対物レンズ１４と撮像ユニット５４と光学系１０４とは鏡筒１２の幅方向の中央部で鏡筒１２の長さ方向に沿って並べられて配置されている。
鏡筒１２は、長さ方向において分割された第１鏡筒分割体１２０２および第２鏡筒分割体１２０４と、これら２つの鏡筒分割体１２０２，１２０４の間に挟まれる第３鏡筒分割体１２０６とで構成され、鏡筒１２の長手方向の一方の半部に第１鏡筒分割体１２０２が位置し、鏡筒１２の長手方向方の他方の半部に第２鏡筒分割体１２０４が位置し、これら第１鏡筒分割体１２０２および第２鏡筒分割体１２０４の間に第３鏡筒分割体１２０８が介在されている。
【００１２】
図８、図１０、図１１に示すように、第１鏡筒分割体１２０２の内部には、下面に開放状の部品収容空間１２０２Ａが設けられており、対物レンズ１４はその前面側にレンズ押え１４０２が位置し後面側に遮光枠１４０４が位置した状態で、第１鏡筒分割体１２０２の前面の上部でかつ幅方向の中央部に取着されている。
プリズム１６は、対物レンズ１４で捉えた像を下部に向けて（撮像ユニット５４側に）反射させるもので本実施の形態ではプリズムが用いられている。プリズム１６は、部品収容空間１２０２Ａで対物レンズ１４に臨む箇所に配置されている。
第１の固定レンズ群２２とズーム用可動レンズ群１８とは、部品収容空間１２０２Ａ内でプリズム１６の下方に配置されている。
第１の固定レンズ群２２は、第１鏡筒分割体１２０２の取り付け部に組み込まれるレンズ２２０２と、このレンズ２２０２を前記取り付け部に固定させる押え部材２２０４（遮光枠を兼ねる）とで構成されている。
【００１３】
図８に示すように、ズーム用可動レンズ群１８は、第１のズームレンズ１８０２と、互いに貼り合わされた第２、第３のズームレンズ１８０４、１８０５と、これら第１、第２、第３のズームレンズ１８０２、１８０４、１８０５の外周部をカシメにより支持したズーム用レンズ枠１８０６とを有している。
ズーム用レンズ枠１８０６は、第１、第２、第３のズームレンズ１８０２、１８０４、１８０５の周囲に位置しこれら第１、第２、第３のズームレンズ１８０２、１８０４、１８０５を保持する保持部１８１０と、この保持部１８１０から部品収容空間１２０２Ａ内の幅方向に延在する延在部１８１２とを有している。
延在部１８１２には、ロッド挿通孔１８１４が設けられ、また、鏡筒１２の長手方向において互いに対向するフランジ１８１６、１８１６が設けられ、これらフランジ１８１６、１８１６には、軸３６０２、３６０２を介して雌ねじ３６０４を有する雌ねじ部材３６が鏡筒１２の長手方向に移動不能に結合される。
また、延在部１８１２とは反対側に位置する保持部１８１０の箇所に係合溝１８１８が形成されている。
【００１４】
ロッド挿通孔１８１４には、第１鏡筒分割体１２０２の長さ方向に延在する金属製のメインガイド軸３８が滑動可能に挿通されている。
このメインガイド軸３８はその長さ方向の両端が第１鏡筒分割体１２０２の上面を構成する壁部と、第３鏡筒分割体１２０６の壁部とで支持されている。
メインガイド軸３８は第１、第２、第３のズームレンズ１８０２、１８０４、１８０５の光軸と平行して延在している。したがって、メインガイド軸３８はズーム用可動レンズ群１８を該ズーム用可動レンズ群１８の光軸方向に案内している。
係合溝１８１８には、メインガイド軸３８と平行方向に延在するサブガイド軸４０（図１０参照）が滑動可能に挿通されている。したがって、前記サブガイド軸はズーム用レンズ１８がメインガイド軸３８の回りに回転することを阻止している。
ズーム用可動レンズ群１８用の案内機構２８は、これらメインガイド軸３８とサブガイド軸４０によって構成されている。
【００１５】
図８に示すように、ズーム用可動レンズ群１８を移動させる駆動手段３２は、鏡筒１２の長さ方向に延在するホルダ３２０２と、ホルダ３２０２の上部に設けられたモータ３２０４と、ホルダ３２０２に沿って延在しモータ３２０４により回転駆動される雄ねじ部材３２０６とを有している。
ホルダ３２０２は第１鏡筒分割体１２０２の右側面の欠部に取着され、これにより雄ねじ部材３２０６が部品収容空間１２０２Ａに位置し、モータ３２０４は第１鏡筒分割体１２０２の上面に位置する。
雄ねじ部材３２０６は雌ねじ部材３６の雌ねじ３６０４に螺合され、したがってモータ３２０４の正逆転によりズーム用可動レンズ群１８はメインガイド軸３８およびサブガイド軸４０に案内されつつそれらの光軸方向に沿って往復移動され、ズーム動作がなされる。
【００１６】
図８に示すように、第３鏡筒分割体１２０６は、部品収容空間１２０２Ａ内に臨む内部分１２０６Ａと、部品収容空間１２０２Ａ外に位置する外部分１２０６Ｂとを有している。
第２の固定レンズ群２４は、その光軸をズーム用可動レンズ群１８の光軸と一致させて内部分１２０６Ａに取着され、また、第２固定レンズ２４の後面にアイリス（絞り）４２が配置されている。このアイリス４２は、第３鏡筒分割体１２０６の外部分１２０６Ｂに取着された駆動部４４により開閉される。
【００１７】
図９、図１１に示すように、第２鏡筒分割体１２０４の内部には、本実施の形態では、上下に開放された部品収容空間１２０４Ａが形成されており、第２鏡筒分割体１２０４の下部に撮像ユニット５４が取着されることでこの部品収容空間１２０４Ａの下端は閉塞されている。
フォーカス用可動レンズ群２０と第３の固定レンズ群２６は、部品収容空間１２０４Ａ内で第２鏡筒分割体１２０４の幅方向中央に位置する箇所に配置されている。
【００１８】
図９に示すように、フォーカス用可動レンズ群２０は、互いに貼り合わされた第１、第２のフォーカスレンズ２００２、２００４と、これら第１、第２のフォーカスレンズ２００２、２００４を支持するフォーカス用レンズ枠２００６とを有している。
フォーカス用レンズ枠２００６は、第１、第２のフォーカスレンズ２００２、２００４の周囲に位置しこれら第１、第２のフォーカスレンズ２００２、２００４を保持する保持部２０１０と、この保持部２０１０から部品収容空間１２０４Ａ内の幅方向に延在する延在部２０１２とを有している。
延在部２０１２には、ロッド挿通孔２０１４が設けられ、また、鏡筒１２の長手方向において互いに対向するフランジ２０１６、２０１６が設けられ、これらフランジ２０１６、２０１６には、軸４８０２、４８０２を介して雌ねじ４８０４を有する雌ねじ部材４８が鏡筒１２の長手方向に移動不能に結合される。
また、延在部２０１２とは反対側に位置する保持部２０１０の箇所に係合溝２０１８が形成されている。
【００１９】
ロッド挿通孔２０１４には、第２鏡筒分割体１２０４の長さ方向に延在する金属製のメインガイド軸５０が滑動可能に挿通されている。このメインガイド軸５０はその長さ方向の両端が第３鏡筒分割体１２０６の壁部と、第２鏡筒分割体１２０４の下部に設けられた壁部とで支持されている。
メインガイド軸５０は第１、第２のフォーカスレンズ２００２、２００４の光軸と平行して延在している。したがって、メインガイド軸５０はフォーカス用可動レンズ群２０を該フォーカス用可動レンズ２８の光軸方向に案内している。
係合溝２０１８には、メインガイド軸５０と平行して延在するサブガイド軸５２（図１０参照）が滑動可能に挿通されている。したがって、サブガイド軸５２はフォーカス用レンズ２０がメインガイド軸５０の回りに回転することを阻止している。
フォーカス用可動レンズ群２０用の案内機構３０は、これらメインガイド軸５０とサブガイド軸５２によって構成されている。
【００２０】
図９に示すように、フォーカス用可動レンズ群２０を移動させる駆動手段３４は、鏡筒１２の長さ方向に延在するホルダ３４０２と、ホルダ３４０２の下部に設けられたモータ３４０４と、ホルダ３４０２に沿って延在しモータ３４０４により回転駆動される雄ねじ部材３４０６とを有している。
ホルダ３４０２は第２鏡筒分割体１２０４の右側面の欠部に取着され、これにより雄ねじ部材３４０６が部品収容空間１２０４Ａに位置し、モータ３４０４は第２鏡筒分割体１２０４の下部に位置する。
雄ねじ部材３４０６は雌ねじ部材４８の雌ねじ４８０４に螺合され、したがってモータ３４０４の正逆転によりフォーカス用可動レンズ群２０はメインガイド軸５０およびサブガイド軸５２に案内されつつそれらの光軸方向に沿って往復移動され、フォーカス動作がなされる。
第３の固定レンズ群２６は、フォーカス用可動レンズ群２０の下方の部品収容空間１２０４Ａ箇所に配置され、第２鏡筒分割体１２０４の取り付け部に組み込まれる第３の固定レンズ群２６０２と、この第３の固定レンズ群２６０２を前記取り付け部に固定させる押え部材２６０４とで構成されている。
【００２１】
なお、図１１に示すように、部品収容空間１２０４Ａに臨む第２鏡筒分割体１２０４の後面箇所で第２鏡筒分割体１２０４Ａの上端と第２の固定レンズ群２４との間の箇所に設けられたは凹凸部１２０４Ｃが設けられている。
また、部品収容空間１２０４Ａに臨む第２鏡筒分割体１２０４の後面箇所で第３の固定レンズ群２６と撮像ユニット５４との間の箇所には凹凸部１２０４Ｄが設けられている。
これらの凹凸部１２０４Ｃ、１２０４Ｄは、対物レンズ１４、プリズム１６、第１の固定レンズ群２２、ズーム用可動レンズ群１８、第２固定レンズ群２４、フォーカス用可動レンズ群２０を介して進入してきた光のうち、部品収容空間１２０４Ａに臨む第２鏡筒分割体１２０４の後面箇所に到達した光が該後面箇所で反射されることで、いわゆるフレアあるいはゴーストと呼ばれる反射光が発生し、この反射光が撮像ユニット５４の撮像素子１２８の撮像面に到達して撮像素子１２８の撮像信号に対して悪影響を及ぼすことを防止するために設けられている。
【００２２】
図９に示すように、鏡筒１２の下部（第２鏡筒分割体１２４の下部）には撮像ユニット５４を配設するための鏡筒側取り付け部１２０５が設けられている。
鏡筒側取り付け部１２０５は撮像素子１２８を部品収容空間１２０４Ａに臨ませる開口１２０４Ｂ（図１１参照）と、この開口１２０４Ｂの周囲に設けられた取り付け座１２０４Ｅとを備えている。
【００２３】
次に、本発明の要旨である撮像ユニット５４について詳細に説明する。
図１２は撮像ユニット５４の斜視図、図１３は図１２のＡ矢視図、図１４は撮像ユニット５４の分解斜視図、図１５は図１２のＢＢ線断面図、図１６はシールゴム６０の断面図である。
図１２〜図１５に示すように、撮像ユニット５４は、パッケージ５６と、ホルダ５８と、シールゴム６０と、光学フィルタ６２と、押さえ部材６４とを含んで構成されている。
【００２４】
パッケージ５６は、図１５に示すように、撮像素子１２８が封入され撮像素子１２８の撮像面が臨む箇所が受光面５６Ａとされている。
本実施の形態では、パッケージ５６は、撮像素子１２８が収容された凹部６６０２を有するパッケージ本体６６と、凹部６６０２を閉塞するようにパッケージ本体６６に取着されたカバーガラス６８を含んで構成されている。
本実施の形態では、平面視した場合、撮像素子１２８および凹部６６０２並びにパッケージ本体６６、カバーガラス６８は矩形を呈している。
受光面５６Ａは、本実施の形態では、撮像素子１２８と反対に位置するカバーガラス６８の面で形成されている。
パッケージ５６は、例えば、セラミックなどの絶縁材料で形成されている。
【００２５】
ホルダ５８は、基板部５８０２と、基板部５８０２から膨出された筒部５８０４を有し、筒部５８０４は断面が矩形枠状を呈している。
ホルダ５８は、後述するようにパッケージ５６が取着されて鏡筒１２に取り付けられる。
図９に示すように、基板部５８０２には、鏡筒１２の鏡筒側取り付け部１２０５に取り付けられる取り付け板部５８０６が設けられ、この取り付け板部５８０６にはねじ挿通孔５８０８が形成されている。
ホルダ５８は、例えば、合成樹脂などの絶縁材料で形成されている。
筒部５８０４は、シールゴム６０およびパッケージ５４の一部を収容するものであり、シールゴム６０の外周面と筒部５８０４の内周面との間に隙間が確保されている。
より詳細には、図１５に示すように、筒部５８０４の内周面は、光学フィルタ６２寄りのシールゴム６０の端部の外周面に臨む小径部５８０６と、小径部５８０６を除いた筒部５８０４の内周面の箇所に小径部５８０６よりも大きい内径で形成されシールゴム６０の外周面との間に隙間Ｓ１が確保された大径部５８０８とで構成されている。
【００２６】
シールゴム６０は、内部に撮像用光路Ｌ１が確保された筒状を呈している。
本実施の形態では、シールゴム６０は、受光面５６Ａの外周に対応した大きさの断面が矩形枠状を呈している。
シールゴム６０には、押さえ部材６４により押圧された際に、その軸方向の中間部を外側に変形し易くする形状部６５が設けられている。
本実施の形態では、図１５、図１６に示すように、形状部６５は、シールゴム６０の軸方向の中間部で内周部に設けられた凹部６００６で構成されている。
凹部６００６は、シールゴム６０の内周部に沿ってその内周部の全周にわたり延在形成されていてもよく、あるいは、凹部６００６は、シールゴム６０の内周部に沿い間隔をおいて複数形成してもよい。
あるいは、図１７に示すように、シールゴム６０の内周部を、シールゴム６０の軸方向の両端の内周面よりも軸方向の中間部の内周面が窪む傾斜面６０２０で形成し、形状部６５をその傾斜面６０２０で構成してもよい。
【００２７】
シールゴム６０は、断面が矩形枠状の（筒状の）本体部６００２と、パッケージ５６の受光面５６Ａに載置される本体部６００２の端部に本体部６００２の内周に沿って内方向に膨出形成された鍔部６００４とを有している。鍔部６００４は矩形枠状に延在している。
シールゴム６０は、例えば、シリコンゴムなどの弾性材料で形成されている。
本実施の形態では、シールゴム６０の少なくともその内周面は光の反射を防止するように図られており、例えば、黒色の材料を用いたり、内周面に表面処理を施すなど、光の反射を防止するために従来公知のさまざまな手段が採用可能である。
シールゴム６０は、図１５に示すように、その軸方向の一端がパッケージ５６の受光面５６Ａに載置される。
シールゴム６０の軸方向から見て、本体部６００２の外周６００２Ａは受光面５６Ａの外縁の外側に位置し、本体部６００２の内周６００２Ｂは受光面５６Ａの外縁の内側に位置している。
【００２８】
光学フィルタ６２は、図１５に示すように、シールゴム６０の軸方向の他端に載置される。
光学フィルタ６２は、矩形状を呈している。
光学フィルタ６２として、従来公知のさまざまなフィルタが採用可能である。例えば、ＩＲフィルタ（赤外線カットフィルタ）の機能を有するものなどが挙げられ、本実施の形態では、ＩＲフィルタおよび光学ローパスフィルタの双方の機能を有するものが用いられている。
【００２９】
押さえ部材６４は、図１４、図１５に示すように、光学フィルタ６２をシールゴム６０の他端に押圧することでシールゴム６０の一端を受光面５６Ａに押圧している。
押さえ部材６４は、ホルダ５８に取着されて配設されている。
押さえ部材６４としては、従来公知のさまざまな構造が採用可能である。
【００３０】
図１５に示すように、シールゴム６０及びパッケージ５６は、筒部５８０４の内側に位置するように配置され、パッケージ５６とホルダ５８とが取着され、受光面５６Ａと反対に位置するパッケージ５６の背面は、撮像素子１２８と電気的に接続された状態でフレキシブル基板７０に取着されている。
フレキシブル基板７０は、撮像素子１２８に対する信号の授受を行なう配線部材である。
【００３１】
本実施の形態では、図１４、図１５に示すように、遮光シート７２が設けられている。
遮光シート７２は、鏡筒１２内部の迷光が撮像素子１２８の撮像面に入射することを防止するための開口絞りを形成するものであり、本実施の形態では矩形枠状を呈している。
遮光シート７２はシールゴム６０の一端と光学フィルタ６２との間に介在されている。
【００３２】
次に、撮像ユニット５４の組立について説明する。
まず、不図示の組立治具などを用いてパッケージ５６をホルダ５８に対して位置決めする。
すなわち、例えば、パッケージ５６とホルダ５８とを不図示の組立治具に取り付けた状態で、ホルダ５８の取り付け板部５８０６を基準として撮像素子１２８の位置、すなわちパッケージ５６の位置を調整する。
具体的には、撮像ユニット５４が鏡筒側取り付け部１２０５に取り付け部けられたときに、撮像素子１２８の撮像面の中心が光学系１０４の光軸と一致し、かつ、該光軸と直交するように撮像ユニット５４の位置調整がなされる。このような位置調整は、所定のテストチャート（テストパターン）を撮像素子１２８で撮像させ、該撮像素子１２８から得られた撮像信号に基づいて生成された画像データに基づいて行なうことができる。
位置調整が完了したならば、位置調整がなされたパッケージ５６とホルダ５８との間にＵＶ硬化型接着剤を充填し、充填されたＵＶ硬化型接着剤に対して紫外線を照射し硬化させる。
これにより、パッケージ５６とホルダ５８は位置決めされた状態で接着される。
【００３３】
次に、このようにパッケージ５６が接着されたホルダ５８に対してシールゴム６０、遮光シート７２、光学フィルタ６２、押え部材６４を組付ける。
すなわち、図１４、図１５に示すように、ホルダ５８の筒部５８０４の内側でパッケージ５６の受光面５６の周囲に、シールゴム６０、遮光シート７２、光学フィルタ６２をこの順番で載置していき、次いで押え部材６４をホルダ５８に取着する。
このように押さえ部材６４がホルダ５８に取着されることで、光学フィルタ６２がシールゴム６０の他端を押圧することによりシールゴム６０の一端が受光面５６Ａに押圧される。
したがって、シールゴム６０の内側に撮像素子１２８の撮像面が臨む撮像用光路Ｌ１が形成され、この撮像用光路Ｌ１はシールゴム６０、遮光シート５８、フィルタ６０などにより閉塞され、塵埃などの侵入が防止される。
なお、シールゴム６０がホルダ５８に組み込まれた状態で、ホルダ５８の筒部５８０４の大径部５８０８とシールゴム６０の外周面との間に確保された隙間Ｓ１内において、形状部６５によりシールゴム６０の軸方向の中間部が軸方向の両端よりも外側に変形した状態となっている。
このようにして撮像ユニット５４が組み立てられる。
【００３４】
次に、撮像ユニット５４の鏡筒１２への組み付けについて説明する。
図９に示すように、鏡筒１２の鏡筒側取り付け部１２０５に対する撮像ユニット５４の取り付けは、鏡筒１２の開口１２０４Ｂ（図１１参照）にホルダ５８の筒部５８０４を挿入し、鏡筒１２の取り付け座１２０４Ｅに撮像ユニット５４の取り付け板部５８０６を当接させ、ねじ挿通孔５８０８に挿通したねじを取り付け座１２０４Ｅのねじ孔（不図示）に螺合し締結することによってなされる。
なお、鏡筒側取り付け部１２０５と取り付け板部５８０６とには、例えば、ノックピンと、該ノックピンが挿入される位置決め孔などの従来公知の位置決め手段が設けられており、鏡筒１２の開口１２０４Ｂにホルダ５８の筒部５８０４を挿入し、鏡筒１２の取り付け座１２０４Ｅに撮像ユニット５４の取り付け板部５８０６を当接させた状態で位置決めされるように構成されている。
【００３５】
次に本発明の撮像ユニット５４の作用効果について説明する。
本実施の形態では、受光面５６Ａに載置されるシールゴム６０の本体部６００２の端部に本体部６００２の内周に沿って内方向に膨出形成された鍔部６００４を設けた。
したがって、撮像素子１２８の撮像面の輪郭と受光面５６Ａの外縁との間に形成される矩形枠状のスペースの幅が狭い場合であっても、撮像素子１２８の撮像面の輪郭とシールゴム６０の内周面との距離を離間させることで、撮像用光路Ｌ１を確保しつつシールゴム６０が受光面５６Ａに当接する箇所の面積を確保することができる。
したがって、撮像素子１２８の撮像面の輪郭と受光面５６Ａの外縁との間に形成される矩形枠状のスペースの幅が狭い場合であっても、内周面が撮像素子１２８に導かれる光束の一部を遮るケラレや迷光が内周面を介して撮像素子１２８の撮像面に入ることで生じるゴーストなどを確実に防止しつつ、シールゴム６０の受光面５６Ａに対する押圧状態を安定して得ることで撮像用光路Ｌ１を確実に密閉することができ、パッケージ５６の小型化および撮像装置１００の小型化を図る上で有利となる。
また、本実施の形態では、シールゴム６０の軸方向から見て、本体部６００２の外周６００２Ａを受光面５６Ａの外縁の外側に位置させ、本体部６００２の内周６００２Ｂを受光面５６Ａの外縁の内側に位置させた。
そのため、シールゴム６０の軸方向の端部と受光面５６Ａとの接触面積を確保してシールゴム６０の受光面５６Ａに対する押圧状態をより安定して得ることができ撮像用光路Ｌ１を確実に密閉する上で有利となる。
なお、本体部６００２の外周６００２Ａおよび内周６００２Ｂの双方を受光面５６Ａの外縁の外側に位置させるようにしてもよい。しかしながら、本実施の形態のようにすると、本体部６００２の端部および鍔部６００４の受光面５６Ａに対する押圧状態をより安定して得ることができ撮像用光路Ｌ１を確実に密閉する上で有利となる。
また、本実施の形態では、シールゴム６０がホルダ５８に組み込まれた状態で、形状部６５によりシールゴム６０の中間部が外側に変形しているので、内周６００２Ｂが撮像素子１２８の撮像面の輪郭から離間する方向に変位することから、ケラレやゴーストなどを防止する上でより一層有利となる。
【００３６】
なお、本実施の形態では、シールゴム６０の本体部６００２の端部が載置される受光面５６Ａが撮像素子１２８と反対側に位置するシールガラス６８の面で形成されている場合について説明した。しかしながら、例えば、シールガラス６８がパッケージ本体６６の端部に載置されずにパッケージ本体６６の凹部６６０２内に配置されるような場合、シールゴム６０の本体部６００２の端部が載置される受光面５６Ａは、凹部６６０２の外周に位置するパッケージ本体６６の面で構成されることになり、受光面５６Ａの構成は、パッケージ本体６６の形状に応じて決定されるものである。
【００３７】
なお、本実施の形態においては、撮像装置としてデジタルスチルカメラを例示したが、本発明はビデオカメラやテレビカメラなどさまざまな撮像装置に無論適用可能である。
【図面の簡単な説明】
【００３８】
【図１】本実施の形態の撮像装置１００を前方から見た斜視図である。
【図２】本実施の形態の撮像装置１００を後方から見た斜視図である。
【図３】本実施の形態の撮像装置１００を下方から見た斜視図である。
【図４】メモリカード１３２およびバッテリー１３８の収容状態を説明する説明図である。
【図５】撮像装置１００の制御系を示すブロック図である。
【図６】レンズ鏡筒１０を斜め前方から見た斜視図である。
【図７】レンズ鏡筒１０を斜め後方から見た斜視図である。
【図８】レンズ鏡筒１０の一部の構成を示す分解斜視図である。
【図９】レンズ鏡筒１０の残りの構成を示す分解斜視図である。
【図１０】図６のＸＸ線断面図である。
【図１１】図６のＹＹ線断面図である。
【図１２】撮像ユニット５４の斜視図である。
【図１３】図１２のＡ矢視図である。
【図１４】撮像ユニット５４の分解斜視図である。
【図１５】図１２のＢＢ線断面図である。
【図１６】シールゴム６０の断面図である。
【図１７】変形例におけるシールゴム６０の断面図である。
【符号の説明】
【００３９】
５４……撮像ユニット、５６……パッケージ、５６Ａ……受光面、５８……ホルダ、６０……シールゴム、６００２……本体部、６００４……鍔部、６２……光学フィルタ、６４……押さえ部材、１００……撮像装置、１２８……撮像素子。
【図１】
2008205911.tif 000003
【図２】
2008205911.tif 000004
【図３】
2008205911.tif 000005
【図４】
2008205911.tif 000006
【図５】
2008205911.tif 000007
【図６】
2008205911.tif 000008
【図７】
2008205911.tif 000009
【図８】
2008205911.tif 000010
【図９】
2008205911.tif 000011
【図１０】
2008205911.tif 000012
【図１１】
2008205911.tif 000013
【図１２】
2008205911.tif 000014
【図１３】
2008205911.tif 000015
【図１４】
2008205911.tif 000016
【図１５】
2008205911.tif 000017
【図１６】
2008205911.tif 000018
【図１７】
2008205911.tif 000019